【手続補正書】
【提出日】平成31年3月8日(2019.3.8)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
ワイヤレス通信ネットワークにアクセスする際に使用するための物理ランダムアクセスチャネル（ＰＲＡＣＨ）プロシージャのセットを示すシグナリングを受信すること、ここで、ＰＲＡＣＨプロシージャの前記セットが少なくとも第１のＰＲＡＣＨプロシージャを含み、ここにおいて、前記第１のＰＲＡＣＨプロシージャが、合計２つのランダムアクセスメッセージを用いた、前記ワイヤレス通信ネットワークへのアクセスをサポートし、前記第２のＰＲＡＣＨプロシージャが、合計４つのランダムアクセスメッセージを用いた、前記ワイヤレス通信ネットワークへのアクセスをサポートする、と、
前記受信されたシグナリングに少なくとも部分的に基づいてＰＲＡＣＨプロシージャの前記セットのうちの前記第１のＰＲＡＣＨプロシージャを選択することと、
前記選択されたＰＲＡＣＨプロシージャに従ってランダムアクセスメッセージを送信することと、
を備える、方法。
【請求項２】
ＰＲＡＣＨプロシージャの前記セットを示す前記シグナリングは、ＰＲＡＣＨプロシージャの前記セットのうちのどのＰＲＡＣＨプロシージャが、前記ワイヤレス通信ネットワークにアクセスするために使用されるべきであるかの指示を含む、請求項１に記載の方法。
【請求項３】
前記第１のＰＲＡＣＨプロシージャが、ワイヤレスデバイスがサービングワイヤレスノードからのしきい値距離よりも近いかまたはそれに等しいところに位置することに関連する、請求項１に記載の方法。
【請求項４】
前記シグナリングは、前記第１のＰＲＡＣＨプロシージャが前記ワイヤレスデバイスのハンドオーバプロシージャのために使用されるべきであることを示す、請求項１に記載の方法。
【請求項５】
前記シグナリングは、前記第１のＰＲＡＣＨプロシージャが前記ワイヤレス通信ネットワークにアクセスするために使用されるべきであることを示し、前記方法は、
前記ワイヤレス通信ネットワークとの先行する同期からの経過時間を決定することと、
前記経過時間が先行同期しきい値よりも小さいとき、前記第１のＰＲＡＣＨプロシージャを選択することと、
をさらに備える、請求項１に記載の方法。
【請求項６】
前記経過時間が前記先行同期しきい値を超えるとき、第２のＰＲＡＣＨプロシージャを選択することをさらに備え、ここにおいて、前記第２のＰＲＡＣＨプロシージャが、前記ワイヤレス通信ネットワークにアクセスするために合計４つのランダムアクセスメッセージを使用する、
請求項５に記載の方法。
【請求項７】
前記先行同期しきい値が、前記受信されたシグナリング中で示される、請求項５に記載の方法。
【請求項８】
前記ランダムアクセスメッセージに対する応答がタイムアウト期間内に受信されないと決定することと、
前記第１のＰＲＡＣＨプロシージャに従って前記ランダムアクセスメッセージを再送信することと、
をさらに備える、請求項５に記載の方法。
【請求項９】
前記再送信されたランダムアクセスメッセージに対する応答が第２のタイムアウト期間内にまたはいくつかの再送信内に受信されないと決定することと、
第２のＰＲＡＣＨプロシージャに従って第２のランダムアクセスメッセージを送信すること、ここにおいて、前記第２のＰＲＡＣＨプロシージャが、前記ワイヤレス通信ネットワークにアクセスするために合計４つのランダムアクセスメッセージを使用する、と、
をさらに備える、請求項８に記載の方法。
【請求項１０】
前記ランダムアクセスメッセージが、いくつかの直交周波数分割多重（ＯＦＤＭ）シンボルを占有するように選択された持続時間に対応するプリアンブルを備える、請求項１に記載の方法。
【請求項１１】
ワイヤレス通信の方法であって、
ワイヤレス通信ネットワークにアクセスする際に使用するための物理ランダムアクセスチャネル（ＰＲＡＣＨ）プロシージャのセットを示すシグナリングを送信すること、ここで、ＰＲＡＣＨプロシージャの前記セットが少なくとも第１のＰＲＡＣＨプロシージャおよび第２のＰＲＡＣＨプロシージャを含み、ここにおいて、前記第１のＰＲＡＣＨプロシージャが、合計２つのランダムアクセスメッセージを用いた、前記ワイヤレス通信ネットワークへのアクセスをサポートし、前記第２のＰＲＡＣＨプロシージャが、合計４つのランダムアクセスメッセージを用いた、前記ワイヤレス通信ネットワークへのアクセスをサポートする、と、
ＰＲＡＣＨプロシージャの前記セットのうちの前記第１のＰＲＡＣＨプロシージャに従ってランダムアクセスメッセージを受信することと、
を備える、方法。
【請求項１２】
ユーザ機器（ＵＥ）がＰＲＡＣＨプロシージャの前記セットのうちの前記ＰＲＡＣＨプロシージャのうちの１つまたは複数が可能であることを識別することと、
前記ＵＥに関連する１つまたは複数のチャネル状態に少なくとも部分的に基づいて、前記１つまたは複数のＰＲＡＣＨプロシージャのうちのどれが前記ＵＥに適しているかを決定することと、
をさらに備え、
ここにおいて、前記送信することが、前記ＵＥに適している前記１つまたは複数のＰＲＡＣＨプロシージャの指示を送信することを備える、
請求項１１に記載の方法。
【請求項１３】
前記１つまたは複数のチャネル状態が、タイミングアドバンス（ＴＡ）、信号対雑音比（ＳＮＲ）、信号対干渉雑音比（ＳＩＮＲ）、受信信号受信電力（ＲＳＲＰ）値、前記ＵＥから送信された信号に関連する信号強度、前記ＵＥから送信された信号に関連する過去の損失、またはそれらの任意の組合せを備える、請求項１２に記載の方法。
【請求項１４】
前記シグナリングは、前記ワイヤレス通信ネットワークとの先行する同期からの経過時間がしきい値よりも小さいとき、前記第１のＰＲＡＣＨプロシージャが使用されるべきであり、前記経過時間が前記しきい値を満たすかまたはそれを超えるとき、第２のＰＲＡＣＨプロシージャが使用されるべきであることを示し、ここにおいて、前記第２のＰＲＡＣＨプロシージャが、前記ワイヤレス通信ネットワークにアクセスするために合計４つのランダムアクセスメッセージを使用する、または、
前記シグナリングは、前記第１のＰＲＡＣＨプロシージャが、前記ワイヤレス通信ネットワークにアクセスしようとする第１の数の試みのために使用されるべきであり、第２のＰＲＡＣＨプロシージャが、前記第１の数の試みの後の試みのために使用されるべきであることを示し、ここにおいて、前記第２のＰＲＡＣＨプロシージャが、前記ワイヤレス通信ネットワークにアクセスするために合計４つのランダムアクセスメッセージを使用する、請求項１１に記載の方法。
【請求項１５】
ワイヤレス通信のための装置であって、請求項１乃至１４のいずれか一項に記載のステップを実行するように配置された手段を備える、装置。
【手続補正２】
【補正対象書類名】明細書
【補正対象項目名】０１２１
【補正方法】変更
【補正の内容】
【０１２１】
[0137]本明細書で説明された技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなど、様々なワイヤレス通信システムのために使用され得る。「システム」および「ネットワーク」という用語はしばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標）：Wideband CDMA）およびＣＤＭＡの他の変形形態を含む。ＴＤＭＡシステムは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションズシステム（ＵＭＴＳ）の一部である。３ＧＰＰロングタームエボリューション（ＬＴＥ）およびＬＴＥアドバンスト（ＬＴＥ−Ａ）は、Ｅ−ＵＴＲＡを使用するユニバーサルモバイルテレコミュニケーションズシステム（ＵＭＴＳ）の新しいリリースである。ＵＴＲＡ、Ｅ−ＵＴＲＡ、ＵＭＴＳ、ＬＴＥ、ＬＴＥ−Ａ、およびモバイル通信用グローバルシステム（ＧＳＭ）は、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明された技法は、上述のシステムおよび無線技術、ならびに他のシステムおよび無線技術のために使用され得る。ただし、上記の説明では、例としてＬＴＥシステムについて説明し、上記の説明の大部分においてＬＴＥ用語が使用されるが、本技法はＬＴＥ適用例以外に適用可能である。
以下に、本願出願の当初の特許請求の範囲に記載された発明を付記する。
［Ｃ１］
ワイヤレス通信のための方法であって、
ワイヤレス通信ネットワークにアクセスする際に使用するための物理ランダムアクセスチャネル（ＰＲＡＣＨ）プロシージャのセットを示すシグナリングを受信すること、ここで、ＰＲＡＣＨプロシージャの前記セットが、合計２つのランダムアクセスメッセージを用いた、前記ワイヤレス通信ネットワークへのアクセスをサポートする少なくとも第１のＰＲＡＣＨプロシージャを含む、と、
前記受信されたシグナリングに少なくとも部分的に基づいてＰＲＡＣＨプロシージャの前記セットのうちの１つのＰＲＡＣＨプロシージャを選択することと、
前記選択されたＰＲＡＣＨプロシージャに従ってランダムアクセスメッセージを送信することと、
を備える、方法。
［Ｃ２］
ＰＲＡＣＨプロシージャの前記セットを示す前記シグナリングは、ＰＲＡＣＨプロシージャの前記セットのうちのどのＰＲＡＣＨプロシージャが、前記ワイヤレス通信ネットワークにアクセスするために使用されるべきであるかの指示を含む、Ｃ１に記載の方法。
［Ｃ３］
ＰＲＡＣＨプロシージャの前記セットが、
前記ワイヤレス通信ネットワークにアクセスするために合計４つのランダムアクセスメッセージを使用する第２のＰＲＡＣＨプロシージャ
をさらに含む、Ｃ１に記載の方法。
［Ｃ４］
前記第１のＰＲＡＣＨプロシージャが、ワイヤレスデバイスがサービングワイヤレスノードからのしきい値距離よりも近いかまたはそれに等しいところに位置することに関連する、Ｃ１に記載の方法。
［Ｃ５］
前記シグナリングは、前記第１のＰＲＡＣＨプロシージャが前記ワイヤレスデバイスのハンドオーバプロシージャのために使用されるべきであることを示す、Ｃ１に記載の方法。
［Ｃ６］
前記シグナリングは、前記第１のＰＲＡＣＨプロシージャが前記ワイヤレス通信ネットワークにアクセスするために使用されるべきであることを示し、前記方法は、
前記ワイヤレス通信ネットワークとの先行する同期からの経過時間を決定することと、
前記経過時間が先行同期しきい値よりも小さいとき、前記第１のＰＲＡＣＨプロシージャを選択することと、
をさらに備える、Ｃ１に記載の方法。
［Ｃ７］
前記経過時間が前記先行同期しきい値を超えるとき、第２のＰＲＡＣＨプロシージャを選択することをさらに備え、ここにおいて、前記第２のＰＲＡＣＨプロシージャが、前記ワイヤレス通信ネットワークにアクセスするために合計４つのランダムアクセスメッセージを使用する、
Ｃ６に記載の方法。
［Ｃ８］
前記先行同期しきい値が、前記受信されたシグナリング中で示される、Ｃ６に記載の方法。
［Ｃ９］
前記ランダムアクセスメッセージに対する応答がタイムアウト期間内に受信されないと決定することと、
前記第１のＰＲＡＣＨプロシージャに従って前記ランダムアクセスメッセージを再送信することと、
をさらに備える、Ｃ６に記載の方法。
［Ｃ１０］
前記再送信されたランダムアクセスメッセージに対する応答が第２のタイムアウト期間内にまたはいくつかの再送信内に受信されないと決定することと、
第２のＰＲＡＣＨプロシージャに従って第２のランダムアクセスメッセージを送信すること、ここにおいて、前記第２のＰＲＡＣＨプロシージャが、前記ワイヤレス通信ネットワークにアクセスするために合計４つのランダムアクセスメッセージを使用する、と、
をさらに備える、Ｃ９に記載の方法。
［Ｃ１１］
前記ランダムアクセスメッセージが、いくつかの直交周波数分割多重（ＯＦＤＭ）シンボルを占有するように選択された持続時間に対応するプリアンブルを備える、Ｃ１に記載の方法。
［Ｃ１２］
ワイヤレス通信の方法であって、
ワイヤレス通信ネットワークにアクセスする際に使用するための物理ランダムアクセスチャネル（ＰＲＡＣＨ）プロシージャのセットを示すシグナリングを送信すること、ここで、ＰＲＡＣＨプロシージャの前記セットが、合計２つのランダムアクセスメッセージを用いた、前記ワイヤレス通信ネットワークへのアクセスをサポートする少なくとも第１のＰＲＡＣＨプロシージャを含む、と、
ＰＲＡＣＨプロシージャの前記セットのうちのＰＲＡＣＨプロシージャに従ってランダムアクセスメッセージを受信することと、
を備える、方法。
［Ｃ１３］
ＰＲＡＣＨプロシージャの前記セットが、
前記ワイヤレス通信ネットワークにアクセスするために合計４つのランダムアクセスメッセージを使用する第２のＰＲＡＣＨプロシージャ
をさらに含む、Ｃ１２に記載の方法。
［Ｃ１４］
ユーザ機器（ＵＥ）がＰＲＡＣＨプロシージャの前記セットのうちの前記ＰＲＡＣＨプロシージャのうちの１つまたは複数が可能であることを識別することと、
前記ＵＥに関連する１つまたは複数のチャネル状態に少なくとも部分的に基づいて、前記１つまたは複数のＰＲＡＣＨプロシージャのうちのどれが前記ＵＥに適しているかを決定することと、
をさらに備え、
ここにおいて、前記送信することが、前記ＵＥに適している前記１つまたは複数のＰＲＡＣＨプロシージャの指示を送信することを備える、
Ｃ１２に記載の方法。
［Ｃ１５］
前記１つまたは複数のチャネル状態が、タイミングアドバンス（ＴＡ）、信号対雑音比（ＳＮＲ）、信号対干渉雑音比（ＳＩＮＲ）、受信信号受信電力（ＲＳＲＰ）値、前記ＵＥから送信された信号に関連する信号強度、前記ＵＥから送信された信号に関連する過去の損失、またはそれらの任意の組合せを備える、Ｃ１４に記載の方法。
［Ｃ１６］
前記シグナリングは、前記ワイヤレス通信ネットワークとの先行する同期からの経過時間がしきい値よりも小さいとき、前記第１のＰＲＡＣＨプロシージャが使用されるべきであり、前記経過時間が前記しきい値を満たすかまたはそれを超えるとき、第２のＰＲＡＣＨプロシージャが使用されるべきであることを示し、ここにおいて、前記第２のＰＲＡＣＨプロシージャが、前記ワイヤレス通信ネットワークにアクセスするために合計４つのランダムアクセスメッセージを使用する、Ｃ１２に記載の方法。
［Ｃ１７］
前記シグナリングは、前記第１のＰＲＡＣＨプロシージャが、前記ワイヤレス通信ネットワークにアクセスしようとする第１の数の試みのために使用されるべきであり、第２のＰＲＡＣＨプロシージャが、前記第１の数の試みの後の試みのために使用されるべきであることを示し、ここにおいて、前記第２のＰＲＡＣＨプロシージャが、前記ワイヤレス通信ネットワークにアクセスするために合計４つのランダムアクセスメッセージを使用する、Ｃ１２に記載の方法。
［Ｃ１８］
ワイヤレス通信のための装置であって、
ワイヤレス通信ネットワークにアクセスする際に使用するための物理ランダムアクセスチャネル（ＰＲＡＣＨ）プロシージャのセットを示すシグナリングを受信するための手段、ここで、ＰＲＡＣＨプロシージャの前記セットが、合計２つのランダムアクセスメッセージを用いた、前記ワイヤレス通信ネットワークへのアクセスをサポートする少なくとも第１のＰＲＡＣＨプロシージャを含む、と、
前記受信されたシグナリングに少なくとも部分的に基づいてＰＲＡＣＨプロシージャの前記セットのうちの１つのＰＲＡＣＨプロシージャを選択するための手段と、
前記選択されたＰＲＡＣＨプロシージャに従ってランダムアクセスメッセージを送信するための手段と、
を備える、装置。
［Ｃ１９］
ＰＲＡＣＨプロシージャの前記セットが、
前記ワイヤレス通信ネットワークにアクセスするために合計４つのランダムアクセスメッセージを使用する第２のＰＲＡＣＨプロシージャ
をさらに含む、Ｃ１８に記載の装置。
［Ｃ２０］
前記第１のＰＲＡＣＨプロシージャが、ワイヤレスデバイスがサービングワイヤレスノードからのしきい値距離よりも近いかまたはそれに等しいところに位置することに関連する、Ｃ１８に記載の装置。
［Ｃ２１］
前記シグナリングは、前記第１のＰＲＡＣＨプロシージャが前記ワイヤレス通信ネットワークにアクセスするために使用されるべきであることを示し、前記装置は、
前記ワイヤレス通信ネットワークとの先行する同期からの経過時間を決定するための手段と、
前記経過時間が先行同期しきい値よりも小さいとき、前記第１のＰＲＡＣＨプロシージャを選択するための手段と、
を備える、Ｃ１８に記載の装置。
［Ｃ２２］
前記経過時間が前記先行同期しきい値を超えるとき、第２のＰＲＡＣＨプロシージャを選択するための手段をさらに備え、ここにおいて、前記第２のＰＲＡＣＨプロシージャが、前記ワイヤレス通信ネットワークにアクセスするために合計４つのランダムアクセスメッセージを使用する、
Ｃ２１に記載の装置。
［Ｃ２３］
前記ランダムアクセスメッセージに対する応答がタイムアウト期間内に受信されないと決定するための手段と、
前記第１のＰＲＡＣＨプロシージャに従って前記ランダムアクセスメッセージを再送信するための手段と、
をさらに備える、Ｃ２１に記載の装置。
［Ｃ２４］
前記再送信されたランダムアクセスメッセージに対する応答が第２のタイムアウト期間内にまたはいくつかの再送信内に受信されないと決定するための手段と、
第２のＰＲＡＣＨプロシージャに従って第２のランダムアクセスメッセージを送信するための手段、ここにおいて、前記第２のＰＲＡＣＨプロシージャが、前記ワイヤレス通信ネットワークにアクセスするために合計４つのランダムアクセスメッセージを使用する、と、
をさらに備える、Ｃ２３に記載の装置。
［Ｃ２５］
前記ランダムアクセスメッセージが、いくつかの直交周波数分割多重（ＯＦＤＭ）シンボルを占有するように選択された持続時間に対応するプリアンブルを備える、Ｃ１８に記載の装置。
［Ｃ２６］
ワイヤレス通信のための装置であって、
ワイヤレス通信ネットワークにアクセスする際に使用するための物理ランダムアクセスチャネル（ＰＲＡＣＨ）プロシージャのセットを示すシグナリングを送信するための手段、ここで、ＰＲＡＣＨプロシージャの前記セットが、合計２つのランダムアクセスメッセージを用いた、前記ワイヤレス通信ネットワークへのアクセスをサポートする少なくとも第１のＰＲＡＣＨプロシージャを含む、と、
ＰＲＡＣＨプロシージャの前記セットのうちのＰＲＡＣＨプロシージャに従ってランダムアクセスメッセージを受信するための手段と、
を備える、装置。
［Ｃ２７］
ＰＲＡＣＨプロシージャの前記セットが、前記ワイヤレス通信ネットワークにアクセスするために合計４つのランダムアクセスメッセージを使用する第２のＰＲＡＣＨプロシージャをさらに含む、Ｃ２６に記載の装置。
［Ｃ２８］
ユーザ機器（ＵＥ）がＰＲＡＣＨプロシージャの前記セットのうちの前記ＰＲＡＣＨプロシージャのうちの１つまたは複数が可能であることを識別するための手段と、
前記ＵＥに関連する１つまたは複数のチャネル状態に少なくとも部分的に基づいて、前記１つまたは複数のＰＲＡＣＨプロシージャのうちのどれが前記ＵＥに適しているかを決定するための手段と、
をさらに備え、
ここにおいて、送信するための前記手段が、前記ＵＥに適している前記１つまたは複数のＰＲＡＣＨプロシージャの指示を送信するための手段を備える、
Ｃ２６に記載の装置。
［Ｃ２９］
前記１つまたは複数のチャネル状態が、タイミングアドバンス（ＴＡ）、信号対雑音比（ＳＮＲ）、信号対干渉雑音比（ＳＩＮＲ）、受信信号受信電力（ＲＳＲＰ）値、前記ＵＥから送信された信号に関連する信号強度、前記ＵＥから送信された信号に関連する過去の損失、またはそれらの任意の組合せを備える、Ｃ２８に記載の装置。
［Ｃ３０］
前記シグナリングは、前記第１のＰＲＡＣＨプロシージャが、前記ワイヤレス通信ネットワークにアクセスしようとする第１の数の試みのために使用されるべきであり、第２のＰＲＡＣＨプロシージャが、前記第１の数の試みの後の試みのために使用されるべきであることを示し、ここにおいて、前記第２のＰＲＡＣＨプロシージャが、前記ワイヤレス通信ネットワークにアクセスするために合計４つのランダムアクセスメッセージを使用する、Ｃ２６に記載の装置。